(57)【特許請求の範囲】
【請求項１】
横繋ぎ材により連結される支柱が四隅に起立され、２辺の長辺と２辺の短辺とを有する長方形の基枠と、
前記支柱の上部間に連結された横繋ぎ材に掛け渡される足場板と、
前記基枠の一方の短辺側に起立された前記２本の支柱の上部にそれぞれ取り付けられる保持金具と、
前記基枠の短辺側の支柱の間隔よりも長い長辺を有する長方形であり上面に足場板が架け渡される張出部と、
前記張出部の長辺側に相互に位置をずらして設けられ、それぞれ前記保持金具に係止される２組の係止金具とを有し、
２組の前記係止金具のうち一方の係止金具と前記保持金具とを係止させることにより前記張出部を前記基枠の一方の長辺部よりも外方に張り出し、他方の係止金具と前記保持金具とを係止させることにより前記張出部を前記基枠の他方の長辺部よりも外方に張り出し、略Ｌ字形状の作業台を形成することを特徴とするＬ型作業台。
【請求項２】
前記基枠の短辺側の前記各支柱に係止される前記張出部は、上下位置に配置される略長方形状の上枠と下枠とが上下方向の連結棒で連結されて形成され、前記保持金具は、前記基枠の短辺側の２本の各支柱の上部に上下の間隔を隔てて設けられ、２組の前記係止金具のそれぞれは、前記上枠と前記下枠とにそれぞれ２つずつ設けられることを特徴とする請求項１に記載のＬ型作業台。
【請求項３】
横繋ぎ材により連結される支柱が四隅に起立され、２辺の長辺と２辺の短辺とを有する長方形の基枠と、
前記支柱の上部間に連結された横繋ぎ材に掛け渡される足場板と、
前記基枠の一方の短辺側に起立された前記２本の支柱の上部に、前記基枠の長辺方向に沿って水平方向にそれぞれ突設されるとともに保持金具が設けられた２本の支持梁と、
前記基枠の短辺側の支柱の間隔よりも長い長辺を有する長方形であり上面に足場板が架け渡される張出部と、
前記張出部にそれぞれ対をなして長辺方向に位置をずらして設けられるとともに、それぞれ下方に向けて突設され、それぞれ前記保持金具に係止される２組の係止金具とを有し、
２組の前記係止金具のうち一方の係止金具と前記保持金具とを係止させることにより前記張出部を前記基枠の一方の長辺部よりも外方に張り出し、他方の係止金具と前記保持金具とを係止させることにより前記張出部を前記基枠の他方の長辺部よりも外方に張り出し、略Ｌ字形状の作業台を形成することを特徴とするＬ型作業台。
【請求項４】
横繋ぎ材により連結される支柱が四隅に起立され、２辺の長辺と２辺の短辺とを有する長方形の基枠と、
前記支柱の上部間に連結された横繋ぎ材に掛け渡される足場板と、
前記基枠の一方の短辺側に起立された前記２本の支柱の上部に、前記基枠の長辺方向に沿って水平方向にそれぞれ突設される２本の支持梁と、
前記基枠の短辺側の支柱の間隔よりも長い長辺を有する長方形であり上面に足場板が架け渡される張出部と、
２本の前記支持梁と前記張出部との一方に設けられ、前記支持梁に直角方向の案内レールと、
２本の前記支持梁と前記張出部との他方に設けられ前記案内レールに相対的に案内されるローラーとを有し、
前記案内レールを前記ローラーに相対的に案内することにより、前記張出部を前記基枠の一方の長辺部よりも外方に張り出す位置と、前記張出部を前記基枠の他方の長辺部よりも外方に張り出す位置とに変更しうる略Ｌ字形状の作業台を形成することを特徴とするＬ型作業台。
【請求項５】
前記基枠に起立させられる前記各支柱は、外筒内を内筒がスライドできる二重筒状に形成され、前記内筒と前記外筒の両者または前記内筒，前記外筒のいずれか一方に、その長さ方向に沿って適宜間隔で貫通孔が設けられてそれら任意の貫通孔にピンを差し込むことによって前記支柱の長さを固定できることを特徴とする請求項１から４のうちいずれか１つに記載のＬ型作業台。
【請求項６】
前記張出部側とは逆側の前記基枠の適宜位置にバランスウェイトを保持するウェイト保持部が設けられている請求項１から５のうちいずれか１つに記載のＬ型作業台。
【発明の詳細な説明】
【０００１】
【発明の属する技術分野】
本発明のＬ型作業台は、建物等の建築現場などで高所の作業に使用される作業台に関する。
【０００２】
【従来の技術】
従来、建物の建築現場で柱などの施工時に、柱などの側面で高所の部分の作業（例えば、配筋作業など）を行なう場合は、枠組みを組み合わせ、その上部に足場板を架け渡した枠組み足場を柱の側面に沿って配置させ、枠組み足場の足場板の上に作業者が載れるようにして作業している。また、枠組み足場の四隅の下端に車輪を設けて枠組み足場を容易に移動できるようにし、枠組み足場を移動させながら作業する場合もある。
【０００３】
【発明が解決しようとする課題】
しかし、上記従来の枠組み足場などで作業する場合、柱の隅部などで柱の側面に枠組み足場を配置させ、その上に作業者が載った状態で作業するには、枠組み足場から作業者が身を乗り出さなければならない場合があり、作業がしづらいとともに危険であるという問題があった。また、柱の隅部付近の両側面に２台の枠組み足場を配置するとともに、２台の枠組み足場の隅部側の側面の間に足場板を架け渡すようにすれば隅部の作業が容易になるが、その場合は、枠組み足場が２台必要になるとともに設置に手間がかかるという問題があった。
そこで、本発明のＬ型作業台は、水平断面略長方形状の作業台に張出部を設けて容易に略Ｌ字形の作業台を形成して柱などの隅部での作業性を向上させるとともに、張出部の張出方向を容易に変更できるＬ型作業台を提供することを目的とする。また、作業台の高さを容易に変更できるとともに、張出部分を容易に安定させることができるＬ型作業台を提供することを目的とする。
【０００４】
【課題を解決するための手段】
本発明のＬ型作業台は、上記課題を解決したもので、横繋ぎ材により連結される支柱が四隅に起立され、２辺の長辺と２辺の短辺とを有する長方形の基枠と、前記支柱の上部間に連結された横繋ぎ材に掛け渡される足場板と、前記基枠の一方の短辺側に起立された前記２本の支柱の上部にそれぞれ取り付けられる保持金具と、前記基枠の短辺側の支柱の間隔よりも長い長辺を有する長方形であり上面に足場板が架け渡される張出部と、前記張出部の長辺側に相互に位置をずらして設けられ、それぞれ前記保持金具に係止される２組の係止金具とを有し、２組の前記係止金具のうち一方の係止金具と前記保持金具とを係止させることにより前記張出部を前記基枠の一方の長辺部よりも外方に張り出し、他方の係止金具と前記保持金具とを係止させることにより前記張出部を前記基枠の他方の長辺部よりも外方に張り出し、略Ｌ字形状の作業台を形成することを特徴とし、隅部での作業性を向上させることができるとともに、張出部の張り出し側を容易に変更できるようにした。基枠の短辺側の各支柱に係止される張出部は、上下位置に配置された略長方形状の上枠と下枠とを上下方向の連結棒で連結し、張出部の支柱側の側面の両側にそれぞれ４個一組の断面逆Ｌ字状の係止金具を設けるとともに、基枠の短辺側の各支柱の上部に前記の一組の係止金具を係合する４つの保持金具を設けるようにしてもかまわない。
【０００５】
また、本発明のＬ型作業台は、  横繋ぎ材により連結される支柱が四隅に起立され、２辺の長辺と２辺の短辺とを有する長方形の基枠と、前記支柱の上部間に連結された横繋ぎ材に掛け渡される足場板と、前記基枠の一方の短辺側に起立された前記２本の支柱の上部に、前記基枠の長辺方向に沿って水平方向にそれぞれ突設されるとともに保持金具が設けられた２本の支持梁と、前記基枠の短辺側の支柱の間隔よりも長い長辺を有する長方形であり上面に足場板が架け渡される張出部と、前記張出部にそれぞれ対をなして長辺方向に位置をずらして設けられるとともに、それぞれ下方に向けて突設され、それぞれ前記保持金具に係止される２組の係止金具とを有し、２組の前記係止金具のうち一方の係止金具と前記保持金具とを係止させることにより前記張出部を前記基枠の一方の長辺部よりも外方に張り出し、他方の係止金具と前記保持金具とを係止させることにより前記張出部を前記基枠の他方の長辺部よりも外方に張り出し、略Ｌ字形状の作業台を形成することを特徴とする。また、本発明のＬ型作業台は、横繋ぎ材により連結される支柱が四隅に起立され、２辺の長辺と２辺の短辺とを有する長方形の基枠と、前記支柱の上部間に連結された横繋ぎ材に掛け渡される足場板と、前記基枠の一方の短辺側に起立された前記２本の支柱の上部に、前記基枠の長辺方向に沿って水平方向にそれぞれ突設される２本の支持梁と、前記基枠の短辺側の支柱の間隔よりも長い長辺を有する長方形であり上面に足場板が架け渡される張出部と、２本の前記支持梁と前記張出部との一方に設けられ、前記支持梁に直角方向の案内レールと、２本の前記支持梁と前記張出部との他方に設けられ前記案内レールに相対的に案内されるローラーとを有し、前記案内レールを前記ローラーに相対的に案内することにより、前記張出部を前記基枠の一方の長辺部よりも外方に張り出す位置と、前記張出部を前記基枠の他方の長辺部よりも外方に張り出す位置とに変更しうる略Ｌ字形状の作業台を形成することを特徴とする。さらに、本発明における各支柱は、外筒内を内筒がスライドできる二重筒状に形成し、内筒と外筒の両者または内筒，外筒のいずれか一方に、その長さ方向に沿って適宜間隔で貫通孔を設けてそれら任意の貫通孔にピンを差し込むことによって支柱の長さを固定できるようにしたり、張出部側とは逆側の基枠の適宜位置にバランスウェイトを保持するウェイト保持部を設けて、作業台の転倒を防止するようにした。
【０００６】
【発明の実施の形態】
本発明のＬ型作業台の実施の形態を図１〜図５により説明する。
建物の建築現場で柱などの施工時に柱などの側面で高所の部分の作業を行なう際に使用されるＬ型作業台は、水平断面略長方形状に形成された基枠２の四隅付近に４本の支柱３０が起立させられている。基枠２の長辺方向の支柱３０の間は、横繋ぎ材として設けられた３本の横桟３１で連結されて側面枠３に形成されているとともに、側面枠３の上部の間に複数の足場板８が架け渡され、基枠２の短辺側の支柱３０の上部の間が横繋ぎ材４で連結されているとともに、横繋ぎ材４の下方が２つの筋交５，６で連結されている。
また、基枠２の一方の短辺側の支柱３０の上部に、それぞれ保持金具３９が取り付けられているとともに、基枠２の短辺側の支柱３０の間隔よりも長い辺を有する断面略長方形状で上面に複数の足場板９が架け渡された張出部７の長辺側に、一対の係止金具４３が２ヶ所に取り付けられて、張出部７の２ヶ所の係止金具４３を選択的に支柱３０の保持金具３９に係止させることにより、張出部７の長辺部の一端が基枠２の任意の長辺部よりも外方に張り出されてＬ型作業台１が構成されている。
なお、基枠の一方の短辺側の各支柱に係止金具を設け、張出部の長辺側に一対の保持金具を２ヶ所に取り付けるようにして、各支柱の係止金具と張出部の２ヶ所の保持金具を選択的に係止させるようにしてもかまわない。
【０００７】
また、基枠２の下面の四隅付近に４つの車輪１０が設けられてＬ型作業台１を任意の方向に容易に移動させることができるようになっている。また、Ｌ型作業台１の上面の隅部付近に手摺支柱１１が起立させられ、各手摺支柱１１の間に手摺１２が架け渡されて作業台に登った作業者の安全を確保することができるとともに、各手摺支柱１１の下端の間に突板１３が設けられて作業台の上から小物などが落下しないようになっている。
【０００８】
支柱３０を起立させる基枠２は、適宜長さの２本の水平鋼材２０が平行に配置され、２本の水平鋼材２０の内側面の両端の間が水平鋼材２０よりも短い横繋ぎ材２１で連結されている。２本の水平鋼材２０の内側面には、その両端に係止孔部材２０ａが設けられているとともに、横繋ぎ材２１の両端には係止孔部材２０に差し込む係止片２１ａが設けられており、相対する係止孔部材２０ａに横繋ぎ材２１の両端の係止片２１ａを差し込んで２本の水平鋼材２０を連結できるようになっている。係止片２１ａは、その下端が係止孔部材２０ａに差し込んだ状態で係止孔部材２０ａの下端から突出するようになっており、係止孔部材２０ａに差し込んだ後に、係止片２１ａの下端に設けられた孔に係止ピンを差して横繋ぎ材２１の抜け止めとしている。なお、横繋ぎ材２１が取り外し可能に設けられて基枠２を分解することができるようになっているが、２本の水平鋼材の両端の間に横繋ぎ材の両端を固着させて基枠を一体に形成してもかまわない。
【０００９】
また、水平鋼材２０の両端には、支柱３０の下端を差し込む支柱支持筒２２が上下方向に沿って取り付けられているとともに、支柱支持筒２２より少し内側の上下方向に開けられた貫通孔に筒２３が設けられて車輪１０の支持棒がねじ込まれている。なお、車輪１０は、その支持棒のねじ込み長さを変えて水平鋼材２０とＬ型作業台１の設置面との距離を微調整できるようになっている。また、筒２３と、筒２３が設けられた位置の水平鋼材２０とに貫通孔が設けられて、車輪１０をセットした後に貫通孔に係止ネジをねじ込んで抜け止めとしている。さらにまた、２本の水平鋼材２０の張出部７が設けられる側とは逆側の端部の間に、バランスウェイトＷを載置するウェイト保持部１５が設けられて、張出部７に架け渡された足場板９に作業者が載った場合にＬ型作業台１が転倒しないようになっている。なお、Ｌ型作業台１を設置する設置面にアンカーボルトなどの係止具を設けることができる場合は、バランスウェイトＷを設ける代わりに、設置面にアンカーボルトを設け、アンカーボルトと水平鋼材をロープなどで連結してＬ型作業台１の転倒を防止してもかまわない。
【００１０】
基枠２の四隅付近に起立させられている支柱３０は、外筒３５の一端に内筒３６が差し込まれて二重筒状に形成されており、内筒３６の下端を水平鋼材２０の支柱支持筒２２に差し込んで基枠２に起立させることができるようになっている。なお、長辺方向の支柱３０の外筒３５の上端と中程と下端との間が３本の横桟３１で連結されて、側面枠３として一体に形成されており、その最上段の横桟３１の間に複数枚の足場板８が架け渡しできるようになっているとともに、支柱３０に張出部７を係止した際に、張出部７を安定して支えることができるようになっている。
【００１１】
支柱３０は、外筒３５の内端に水平方向の貫通孔が設けられているとともに、内筒３６の長さ方向に沿って適宜間隔で貫通孔（図示せず）が設けられ、外筒３５と内筒３６をスライドさせ、外筒３５と内筒３６との貫通孔を合わせて両者の貫通孔に係止ピンを差し込むことによって支柱３０の長さを固定して作業台の高さを調節できるようになっている。
なお、内筒のみに貫通孔を適宜間隔で複数設けて、内筒の適宜位置の貫通孔に係止ピンを差し込むようにしたり、外筒のみに貫通孔を適宜間隔で複数設けて、外筒の適宜位置の貫通孔に係止ピンを差し込むようにしたりして、内筒の上端から外筒を差し込んで係止ピンの位置で支柱の長さを固定できるようにしてもよい。また、支柱支持筒２２の適宜位置に、水平方向の貫通孔が設けられて、支柱３０を支柱支持筒２２に差し込んだ状態で貫通孔に係止ネジをねじ込んで抜け止めとすることができるようになっている。
【００１２】
側面枠３の各支柱３０の外筒３５の上端で基枠２の長辺方向と直交する方向には、基枠２の横繋ぎ材２１と同じ形状の横繋ぎ材４を係止する係止孔部材が突設されており、係止孔部材を向かい合わせて側面枠３を基枠２の長辺側に起立させた状態で、相対する係止孔部材の間に、横繋ぎ材４の係止片を差し込んで２つの側面枠３を連結できるようになっている。横繋ぎ材４は、係止孔部材に係止片を差し込み、係止片の下端に抜け止めの係止ピンを差せるようになっている。
張出部７が設けられている側とは逆側に設けられた横繋ぎ材４，２１には、その上下位置にクランプなどの掴み金具が設けられており、掴み金具に梯子１７を係止させてＬ型作業台１の側面に上下方向に沿って梯子１７を掛けることができるようになっている。
【００１３】
各支柱３０の外筒３５の上端と下端および基枠２の各支柱支持筒２２の上端には、突棒１６が側面枠３の長辺方向でＬ型作業台１の内側に向かって突設されており、各突棒１６に２つの筋交５，６の端部を係止して相対して起立させられた側面枠３を連結できるようになっている。各支柱３０の上端には、手摺支柱１１の下端を差し込む孔が設けられている。なお、外筒３５の下端に設けられた突棒１６は筋交５の下方の端部と筋交６の上方の端部とが係止される。
【００１４】
また、外筒３５の下端および基枠２の各支柱支持筒２２の上端に設けられた突棒１６に筋交６の端部が係止されることにより基枠２と２つの側面枠３の連結を強固にしている。ところで、本実施の形態では側面枠３の支柱３０が伸縮可能に構成されているので、外筒３５の下端および基枠２の各支柱支持筒２２の上端の間に係止させられる筋交６は、二重筒状に形成されているとともに、筋交６の外筒の内端にネジが設けられて筋交６を任意長さに固定できるようになっており、支柱３０の伸縮に筋交６を追従させることができるようになっている。
さらにまた、ウェイト保持部１５が設けられている側とは逆側の２本の支柱３０の上端の上下位置に、張出部７の係止金具４３を係止できる４つの保持金具３９が設けられている。
なお、支柱３０は、二重筒状に形成する代わりに一本の長棒を用いるようにしてもかまわない。
【００１５】
図２に示すように、基枠２の一方の短辺側の各支柱３０の上部に係止される張出部７は、例えば、パイプを略長方形状に組み合わせた形状の上枠４０と下枠４１との四隅付近と、四隅付近から短辺側の支柱３０の間隔だけ離した位置（支柱３０の保持金具３９の間隔に対応させる）とが上下方向に配置された複数の連結棒４２で連結されているとともに、張出部７の支柱３０側の側面（長辺方向の一辺）に設けられた連結棒４２の側面で支柱３０の保持金具３９の上下の間隔に合わせた上下位置に断面逆Ｌ字状の係止金具４３が外方に向けて突設されて、張出部７の支柱３０側の側面の両側にそれぞれ４個一組の係止金具４３が設けられている。なお、張出部７はその長辺方向の長さが、短辺側の支柱３０の間隔よりも長くなるように調節されている。
【００１６】
この張出部７は、短辺側の支柱３０の４つの保持金具３９に、張出部７の水平方向の一方の隅部付近の２つの係止金具４３と、それらから保持金具３９の水平方向の間隔だけ離した位置の２つの係止金具４３（この４個で一組の係止金具となる）とを差し込んで、張出部７の長辺部の一端を基枠２の任意の長辺部よりも外方に張り出すことができるようになっている。なお、張出部７の係止金具４３の先端に貫通孔が設けられており、係止金具４３を保持金具３９に差し込んだ状態で係止金具４３の先端の貫通孔に係止ピンを差して抜け止めとすることができるようになっている。
ところで、張出部７には、４個一組として２組の係止金具４３が設けられているが、支柱３０の４つの保持金具３９に差し込む一組の係止金具４３を選択することにより、張出部７の長辺部の一端を基枠２の２つの長辺部のいずれか一方から張り出させることができ、張出部７の張り出し側を容易に変更することができるようになっている。
なお、張出部７が安定するように左右，上下の４ヶ所の係止金具４３で支柱に係止されいているが、そのほか、基枠２の一方の短辺側に起立させられた２本の支柱３０の適宜位置に、張出部７の下面を支持するブラケットを設けて、張出部の安定性を向上させるようにしてもよい。
【００１７】
張出部７の上枠４０の短辺側の間には、複数枚の足場板９が架け渡されて足場板９と２つの側面枠の間に架け渡された足場板８とからなる略Ｌ字形状の作業台を構成することができ、その上に作業者が載って作業できるようになっている。なお、張出部７の上枠４０と下枠４１とを連結している連結棒４２は、その上面に手摺支柱１１を差し込む孔が設けられており、張出部７の四隅付近に設けられた連結棒４２と、支柱３０側の中程に設けられた連結棒４２の上面の孔に手摺支柱１１の下端を差込み、各手摺支柱１１間に手摺１２を架け渡して作業の安全を図るとともに、各手摺支柱１１の下端の間に突板１３を設けて作業台の上から小物などが落下することを防止できるようになっている。
【００１８】
張出部は上記構成に限るものではなく、例えば図３に示すように、基枠の一方の短辺側の２本の支柱３０´の上端に、それら２本の支柱３０´を結ぶ軸線とは直角方向（基枠の長辺方向）に沿って水平に突出させられた２本の支持梁４４を設け、支持梁４４と、断面略長方形状の張出部７´との一方に、複数で一組の係止金具を２ヶ所に設けるとともに、他方に、前記係止金具に係合させる複数の保持金具を設け、一組の係止金具を保持金具に係止させるようにして、張出部を支持梁で支持して張出部の安定性を向上させるようにしてもよい。支持梁４４は、その基端に断面略コ字形の連結金具４６が取り付けられており、その連結金具４６を支柱３０´の上部に設けられた断面略コ字形の連結具４７にピンにより係止して突出させ、各支持梁４４の一方の側面の両端に、後記する係止金具を係合させる４つの保持金具４４ａが取り付けられている。なお、支持梁に頬杖を設けるようにしてもよい。また、張出部７´は、上記張出部７と同じように上枠４０´と下枠４１´との四隅付近と、四隅付近から短辺側の支柱３０´の間隔だけ離した位置とが上下方向に配置された複数の連結棒４２´で連結されている。そして、下枠４１´の下面の両側（四隅付近および中程）で、支持梁４４の４つの保持金具４４ａに対応する位置にそれぞれ４つ一組で２組の断面逆Ｌ字状の係止金具４５が下方に突設されている。
【００１９】
この場合、張出部７′の一方の端辺側に設けられた２つの係止金具４５と、それらから２本の支持梁４４の間隔だけ離れた位置に設けられた２つの係止金具４５とを（この４つで一組の係止金具）、支柱３０′に突設された支持梁４４に設けられた４つの保持金具４４ａに差し込んで、支持梁４４に張出部７′を載置するようにする。このとき、張出部７′の下枠４１′と支持梁４４との任意位置をクランプなどで連結するようにしてもかまわない。
２組の係止金具４５は、それらを選択的に保持金具４４ａに係止することにより、張出部７′の長辺部の一端が基枠の任意の長辺部よりも外方に張り出されて略Ｌ字形状の作業台を形成することができるようになっている。
【００２０】
なお、張出部７′の係止金具４５が設けられている位置に保持金具を取り付けて複数で一組の保持金具を２ヶ所に設けるとともに、２本の支持梁４４の保持金具４４ａが設けられている位置に、４つの断面略Ｌ字状の係止金具をその先端を上方に向けて突設し、張出部の２ヶ所の保持金具を選択的に係止金具に係止するようにしてもかまわない。また、張出部の任意位置に保持金具を設けるとともに、２本の支柱に少し幅広の支持梁を設けて２本の支持梁の両端の両側に、４つ一組の断面略Ｌ字状の係止金具をその先端を上方に向けて２ヶ所に突設し、支持梁の２ヶ所の係止金具を選択的に張出部の保持金具に係止するようにしてもかまわない。また、上枠に係止金具もしくは保持金具を設けるようにしてもよい。さらにまた、平行に配置した２本の側面鋼材（Ｃ型チャンネル鋼などを使用）の上面の間に足場板として平板を張り付けて張出部を構成し、側面鋼材の適宜位置に係止金具もしくは保持金具を設けるようにしてもかまわない。
【００２１】
そのほか、図４に示すように、各短辺側の支柱５１の上端に水平方向に突出させられた２本の支持梁５２および断面略長方形状の張出部５３に設けられた案内レールとローラーにより張出部を支持できるようにしてもかまわない。
具体的には、基枠２と同じ形状の基枠（図示せず）の一方の短辺側の２本の支柱５１の上端に、それら２本の支柱５１を結ぶ軸線とは直角方向に沿って支持梁５２を水平に突出させ、各支持梁５２の上面の両端に、逆Ｌ字形状に形成された４つの支持突棒５４を突設させる。
各支持突棒５４は、その折曲げ部の先端を支持梁５２の端部方向に向けるとともに、折曲げ部の先端に、後記する案内レールに相対的に案内されるローラー５５が設けられている。支持梁５２は、その基端に断面略コ字形の連結金具５８が取り付けられており、その連結金具５８を支柱５１の上部に設けられた連結具５９にピン６０により係止して支柱５１に突設されている。
【００２２】
支持梁５２に支持される張出部５３は、例えば、短辺側の２本の支柱５１の間隔よりも長いＣ型チャンネル鋼を用いた案内レール５６をその断面の開口側が内向きとなるようにして平行に配置し、２本の案内レール５６の上面の間に、足場板として板状の鋼板を用いた上板５７が架け渡されて取り付けられており、案内レール５６の中空部に支持梁５２に設けられた４つのローラー５５を通して張出部５３を支持梁５２の上に載置することができるようになっている。
なお、２本の案内レールを２本の支持梁の上に平行に載置し、張出部の長辺方向の下面で案内レールに対応する位置に、ローラーが設けられた複数の支持突棒を適宜間隔で突設するようにしてもかまわない。
【００２３】
このとき、張出部５３の長辺部の一端が基枠の任意の長辺部よりも外方に張り出すように配置されて略Ｌ字形状の作業台を形成できるようになっているが、張出部５３の張り出し側に作業者が載っても対向する位置の係止突棒５４の折曲げ部が案内レール５６の断面の開口部に当たって張出部５３を支持できるようになっている。また、支持梁５２に載置された張出部５３は、ローラー５５により長辺方向にスライドさせて、その張り出し側を容易に変更することができるようになっている。
なお、張出部５３の上板５７の長辺方向の両端の適宜位置に孔５７ａを開け、支持梁５２の上面で前記孔５７ａに対応する位置に孔５２ａを開けて、張出部５３を支持梁５２に載置したときに、一方の支持梁５２上に配置された上板５７の孔５７ａに係止ボルト６２を通すとともに支持梁５２の孔５２ａに係止して、張出部５３を支持梁５２に係止するようにしてもかまわない。また、支柱５１と支持梁５２の先端との間に頬杖を設けるようにして、張出部５３を安定して支持できるようにしてもかまわない。
【００２４】
さらにまた、張出部５３は、その案内レール５６の両端の外側面に、上下方向に沿って筒６１が設けられているとともに、案内レール５６の外側面で案内レール５６の両端から短辺側の支柱５１の間隔だけ離した位置にも筒が設けられており、張出部５３の四隅部の筒６１と、支柱５１側の案内レール５６の外側面に設けられた筒６１とに手摺支柱を起立させられるようになっており、各手摺支柱を起立させその間に手摺を架け渡するとともに、各手摺支柱の下端の間に突板を設けることができるようになっている。
【００２５】
上記構成のＬ型作業台１により、建物の建築現場等で柱などの隅部の高所の作業を行なう場合は、２本の水平鋼材２０と２つの横繋ぎ材２１とで基枠２を組み立て、基枠２の下面の四隅付近に車輪１０を取り付け、基枠２の長手方向の２辺の上のそれぞれに、支柱３０をスライドさせて適宜高さに固定された側面枠３を起立させる。このとき、各側面枠３の支柱３０に設けられた保持金具３９を同じ方向に向けて配置させる。
そして、短辺側の支柱３０の上部の間を横繋ぎ材４で連結するとともに、支柱３０の外筒３５と支柱支持筒２２に設けられた各突棒１６に筋交５，６の両端を係止して２つの側面枠３を連結させる。
【００２６】
次に、各支柱３０の４つの保持金具３９に、張出部７の張り出し方向に合わせて選択された４個一組の係止金具４３を係止して、張出部７の長辺部の一端が基枠２の長辺部よりも外方に張り出すようにし、２つの側面枠の最上段の横桟３１と張出部７の上枠４０の相対する短辺側との間に複数の足場板８，９を架け渡してＬ型作業台１を組み立てる。Ｌ型作業台１には、張出部７側とは逆側の側面に梯子１７を係止させたり、各足場板８，９の周囲の適宜位置に手摺支柱１１を起立させ、各手摺支柱１１の間に手摺１２を設けるとともに、各手摺支柱１１の下端の間に突板１３を設けて、Ｌ型作業台１に作業者が載って作業できるようにする。また、基枠２のウェイト保持部１５に適宜量のバランスウェイトを載置してＬ型作業台１の安定を図る。
【００２７】
図５に示すように、組み立てられたＬ型作業台１は、基枠に設けられた車輪でＬ型作業台１を容易に移動させ、Ｌ型作業台１の張出部７と側面枠３とで形成される隅部に柱などの隅部を合わせて配置して、柱の隅部などの作業を安全に行なうことができるようにする。また、基枠２の下面の車輪１０のねじ込み量を調節することによりによりＬ型作業台１の上面の水平を調整することができる。また、張出部は、支柱に支持されているので、張出部の下方の床には支柱などが起立することがなく、張出部の下方に物が置かれていても隅部にＬ型作業台を配置させることができる。
組み立てられたＬ型作業台１は、組み立てと逆の順序で解体して、部材毎にまとめて保管することができる。
【００２８】
また、張出部７は、支柱３０に設けられた４つの保持金具３９に、選択された張出部７の４個一組の係止金具４３の先端部を差し込んで係止しているが、別の組の４つの係止金具４３を保持金具３９に係止するようにすれば、張出部７の張り出し方向を逆側に変更することができる。このようにすれば、図５の図面上方に向かって左右にＬ型作業台１を配置する場合など、張出部の張り出し方向を変更する必要がある場合でも、Ｌ型作業台１を配置する場所に合わせて容易に張り出し側を変更したＬ型作業台を設けることができる。
【００２９】
【発明の効果】
本発明のＬ型作業台は、水平断面略長方形状の作業台に張出部を係止するとともに、張出部の長辺部の一端が基枠の任意の長辺部よりも外方に張り出すようにして係止することにより作業台を組み立てられるので、誰でも容易に作業台を設けることができるし、柱などの隅部にＬ型作業台を設置して、隅部付近の作業を安全に行なうことができる。また、基枠の一方の短辺側の支柱の上部の保持金具と、張出部の一対の係止金具が２ヶ所に設けられることにより、２ヶ所の係止金具を選択的に保持金具に係止させたり、張出部と張出部の支持梁に案内レールとそれに案内されるローを設けることにより張出部を移動できるようにして、張出部の張り出し側を容易に変更することができる。
また、支柱の長さを変えてＬ型作業台の高さを容易に変更することができるし、基枠にウェイト保持部を設ければ、張出部に作業者が載った場合でも、Ｌ型作業台が転倒することがなく安全に作業することができる。
【図面の簡単な説明】
【図１】本発明のＬ型作業台の実施の形態を示す側面説明図（ａ）と、正面説明図（ｂ）である。
【図２】張出部とそれを係止する側面枠付近を示す斜視図である。
【図３】支柱に支持梁を設け、支持梁と張出部に係止金具と保持金具を設けた場合を示す斜視図である。
【図４】支持梁にローラーを設け、張出部に案内レールを設けた場合を示す斜視図である。
【図５】Ｌ型作業台を柱の隅部に設置した場合を示す平面説明図である。
【符号の説明】
１    Ｌ型作業台
２    基枠
３    側枠
４    横繋ぎ材
７    張出部
３０  支柱
３９  保持金具
４３  係止金具
５２  支持梁
５３  張出部
５５  ローラー
５６  案内レール
【図１】
0003865433.tif 000002
【図２】
0003865433.tif 000003
【図３】
0003865433.tif 000004
【図４】
0003865433.tif 000005
【図５】
0003865433.tif 000006